(57)【特許請求の範囲】
【請求項１】
パーツパターンの表示領域として生地上に想定される複数のパターン区画に対してそれらの区画内又は区画外に、前記パターン区画中での前記パーツパターンの特定情報を非接触で読み取り可能にする少なくとも一つのデータ表示部が設けられており、
前記生地は帯状に長く形成されたものとされ、
複数の前記パターン区画は前記生地の帯長手方向に沿って互いに並んだ配置関係とされ、
前記データ表示部は前記パーツパターンと重ならない位置に配置され、
且つ前記データ表示部は二次元コードとされて
いることを特徴とするデータ表示部付き生地。
【請求項２】
前記パターン区画には複数のパーツパターンが分散配置されており、これら各パーツパターンに個別に割り当てて前記データ表示部が配置されていることを特徴とする請求項１記載のデータ表示部付き生地。
【請求項３】
前記データ表示部は、各パーツパターンに付随させる除去予定位置又は接合予定位置に配置されていることを特徴とする請求項２記載のデータ表示部付き生地。
【請求項４】
前記生地の帯長手方向に沿って想定される各パターン区画ごとの前記データ表示部は、前記生地の帯長手方向で並んで整列配置されていることを特徴とする請求項１乃至請求項３のいずれか１項に記載のデータ表示部付き生地。
【請求項５】
前記生地の帯幅方向に前記パターン区画が複数想定されるものとなっており、各パターン区画ごとに前記データ表示部が配置されていることを特徴とする請求項１乃至請求項４のいずれか１項に記載のデータ表示部付き生地。
【請求項６】
前記生地の帯幅方向に沿って想定される各パターン区画ごとの前記データ表示部は、前
記生地の帯幅方向で並んで整列配置されていることを特徴とする請求項５記載のデータ表示部付き生地。
【請求項７】
前記データ表示部は、捺染により捺染された表示物であることを特徴とする請求項１乃至請求項６のいずれか１項に記載のデータ表示部付き生地。
【請求項８】
帯状に長く形成された生地を準備し、
前記生地上にその帯長手方向に沿って互いに並んだ配置関係でパーツパターンの表示領域とするパターン区画を想定すると共に、
前記パターン区画中での前記パーツパターンの特定情報を非接触で読み取り可能にする少なくとも一つのデータ表示部を二次元コードにより形成し、
前記データ表示部を前記パーツパターンと重ならない配置としつつ前記パーツパターンの捺染と先行、後行、又は並行して設けることを特徴とするデータ表示部付き生地の製造方法。
【請求項９】
前記パーツパターンは、インクジェット捺染により捺染するものとし、このインクジェット捺染に用いる捺染プログラムに前記データ表示部の捺染データを組み込んで、１サイクルのインクジェット捺染により前記パーツパターンと前記データ表示部とを同時に生地に設けることを特徴とする請求項８記載のデータ表示部付き生地の製造方法。
【発明の詳細な説明】
【技術分野】
【０００１】
本発明は、データ表示部が付された生地及びこのデータ表示部付き生地を製造する方法に関するものである。
【背景技術】
【０００２】
身頃や袖などの生地パーツを、帯状生地などの生地から切り出す場合にあって、生地をテーブル上に支持させ、このテーブル上で、回転刃を回転駆動させた裁断ヘッドを移動させる構成の生地裁断装置を用いることが知られている（例えば、特許文献１等参照）。
生地には、予め、切り出そうとする生地パーツの柄（以下、「パーツパターン」と言う）をインクジェット捺染等により表示しておく場合がある。この場合、生地裁断装置では、裁断に先だってパーツパターンに対応する裁断プログラムを生成（プログラミング）する必要がある。この裁断プログラムは、パーツパターンの配置（輪郭座標）を規定した裁断データを用いて構成される。
【０００３】
裁断プログラムの生成は、基本的には、作業者による人為的な作業によって行われるものであって、データベースに蓄積された多数の裁断データ類の中からパーツパターンに適合するものを選択してプログラム装置へ読み込ませるようにしていた。
なお、裁断データ類の選択間違いを防止したり面倒さを解消したりする目的のもと、データ読み出し用の情報を一次元コード（バーコード等）化して印刷したラベルを、予め、生地の１箇所に貼付しておき、裁断工程の開始時に、作業者がこのラベルをコードリーダーで読み取らせ、データベースから裁断データを読み出すという方法が試されることもあった。
【先行技術文献】
【特許文献】
【０００４】
【特許文献１】特開２０１１−１９５９７９号公報
【発明の概要】
【発明が解決しようとする課題】
【０００５】
裁断工程の開始時に、作業者による人為的な作業により各パーツパターンごとに裁断データ類をいちいちデータベースから選択し、裁断プログラムを生成する、という作業は面倒であり、作業効率が低い問題がある。また、裁断データの選択間違いが起こる問題もある。なお、一次元コードが印刷されたラベルから裁断データを読み取るという方法では、
裁断データの選択間違いを防止できる利点があるものの、ラベルの貼付作業やコードリーダーを用いた読み取り作業が要因となって、やはり、作業効率を十分に高められないという問題が残っていた。
【０００６】
ところで、生地として、生地ロールから巻き出した帯状生地を用い、この生地の帯長手方向に沿って複数のパターン区画を想定し、各パターン区画ごとにパーツパターンを表示させることがある。最近になって、本出願人は、それぞれのパターン区画ごとに表示させるパーツパターンを異ならせることも視野に入れている。
言うまでもなく、パーツパターンを異ならせれば、選択すべき裁断データも異なってくるので、パターン区画ごと、場合によってはパーツパターンごとに裁断プログラムも組み直す必要がある。
【０００７】
このように状況下にあって、全てのパーツパターンに個別に対応させるように、一次元コードが印刷されたラベルを貼付したり、それらのラベルをコードリーダーでいちいち読み取るようなことは、作業者による人為作業として実現性が乏しく、実行不可能と言わざるを得ない。
一方、裁断工程で切り出された生地パーツを下流の工程（縫製工程等）へ移送し、作業する場合には、各生地パーツに関するサイズや形状などの各種データを把握及び管理する必要がある。しかし、生地パーツとして切り出された時点で、当該生地パーツに関する個別情報は生地パーツと切り離されているので、このようなデータ管理はできない。
【０００８】
そこで従来は、生地パーツの移送に用いるパレットやケースごとに情報カードを付帯させる、といった簡便な方式で対処していたのが実情である。それ故、面倒であると共に、情報カードの入れ間違いや紛失等が起こると、作業が滞ったり、作業ミスが生じたりする重大問題に繋がることもあった。
本発明は、上記事情に鑑みてなされたものであって、裁断工程での裁断プログラム生成などのように、種々様々なデータを必要とするデータ管理を迅速、簡単且つ正確に実行できるようにして、衣類の製造など、全体工程にわたる生産能率の飛躍的な向上を図ることも可能にするデータ表示部付き生地及びその製造方法を提供することを目的とする。
【課題を解決するための手段】
【０００９】
前記目的を達成するために、本発明は次の手段を講じた。
即ち、本発明に係るデータ表示部付き生地では、パーツパターンの表示領域として生地上に想定される複数のパターン区画に対してそれらの区画内又は区画外に、前記パターン区画中での前記パーツパターンの特定情報を非接触で読み取り可能にする少なくとも一つのデータ表示部が設けられており、前記生地は帯状に長く形成されたものとされ、複数の前記パターン区画は前記生地の帯長手方向に沿って互いに並んだ配置関係とされ、前記データ表示部は前記パーツパターンと重ならない位置に配置され、且つ前記データ表示部は二次元コードとされていることを特徴とする。
【００１０】
具体的に、前記データ表示部は、前記パターン区画の外周部、前記パターン区画内に表示されるパーツパターンの外周部、前記パターン区画内に表示されるパーツパターン中であって切り抜きが予定される余白部、のうちいずれか一つに配置されたものとすればよい。
前記パターン区画には複数のパーツパターンが分散配置されており、これら各パーツパターンに個別に割り当てて前記データ表示部が配置されているものとしてもよい。
【００１１】
この場合、前記データ表示部は、各パーツパターンに付随させる除去予定位置又は接合予定位置に配置されているものとするのがよい。
前記生地の帯長手方向に沿って想定される各パターン区画ごとの前記データ表示部は、前記生地の帯長手方向で並んで整列配置されているものとするのがよい。
前記生地の帯幅方向に前記パターン区画が複数想定されるものとなっており、各パターン区画ごとに前記データ表示部が配置されているものとしてもよい。
【００１２】
この場合、前記生地の帯幅方向に沿って想定される各パターン区画ごとの前記データ表示部は、前記生地の帯幅方向で並んで整列配置されているものとするのがよい。
前記データ表示部は、捺染により捺染された表示物としてもよい。
一方、本発明に係るデータ表示部付き生地の製造方法では、帯状に長く形成された生地を準備し、前記生地上にその帯長手方向に沿って互いに並んだ配置関係でパーツパターンの表示領域とするパターン区画を想定すると共に、前記パターン区画中での前記パーツパターンの特定情報を非接触で読み取り可能にする少なくとも一つのデータ表示部を二次元コードにより形成し、前記データ表示部を前記パーツパターンと重ならない配置としつつ前記パーツパターンの捺染と先行、後行、又は並行して設けることを特徴とする。
【００１３】
前記パーツパターンは、インクジェット捺染により捺染するものとし、このインクジェット捺染に用いる捺染プログラムに前記データ表示部の捺染データを組み込んで、１サイクルのインクジェット捺染により前記パーツパターンと前記データ表示部とを同時に生地に設けるようにすればよい。
【発明の効果】
【００１４】
本発明に係るデータ表示部付き生地及びその製造方法では、裁断工程での裁断プログラム生成などのように、種々様々なデータを必要とするデータ管理を迅速、簡単且つ正確に実行できるものであり、その結果、衣類の製造など、全体工程にわたる生産能率の飛躍的な向上を図ることも可能になる。
【図面の簡単な説明】
【００１５】
【図１】本発明に係る生地の第１実施形態を示した平面図である。
【図２】本発明に係る生地の第２実施形態を示した平面図である。
【図３】本発明に係る生地の第３実施形態を示した平面図である。
【図４】本発明に係る生地の第４実施形態を示した平面図である。
【図５】本発明に係る生地の第５実施形態を示した平面図である。
【図６】本発明に係る生地の第６実施形態を示した平面図である。
【図７】第３実施形態の生地から切り出した生地パーツを示した平面図である。
【発明を実施するための形態】
【００１６】
以下、本発明の実施の形態を、図面に基づき説明する。
［第１実施形態］
図１は、本発明に係る生地１の第１実施形態を示している。本第１実施形態の生地１には、パーツパターン２（切り出そうとする生地パーツを柄状に表示させたもの）の特定情報を非接触で読み取り可能にする、少なくとも一つのデータ表示部３が設けられたものとなっている。この生地１には、パーツパターン２の表示領域として複数のパターン区画４が想定される。前記したデータ表示部３は、これら複数のパターン区画４に対し、それぞれ個別に少なくとも１つを対応させた配置となっている。
【００１７】
生地１には、パーツパターン２が未だ設けられていない状態（無地）で生地１上にパターン区画４が想定され、且つデータ表示部３が設けられているものを含むものとする。
なお、このパターン区画４は、パーツパターン２を切り出すときに用いる生地裁断装置（図示略）が、その動作制御の中で設定する仮想的なもの（生地１の画像検出を行った場合に設定する計算上の領域や、コンピュータ画面などで設定する領域）としてもよいし、生地１に対して視覚的に認識できるように囲みライン状又はカラー領域状に表示したもの（レーザー光を照射して表示した囲みライン等を含む）としてもよい。
【００１８】
このようなパターン区画４に対するデータ表示部３の具体的な配置は、パターン区画４の区画内に完全に収まる位置とすればよい。但し、パターン区画４の区画外であっても当該パターン区画４との関連性が一義的に特定できる程度に近接する位置としてあれば、問題となることはない。すなわち、データ表示部３はパターン区画４の区画外に配置してもよい。また更に、データ表示部３は、図１に示したように、パターン区画４の区画ライン上に跨るように（区画内及び区画外へはみ出すように）設けてもよい。
【００１９】
本第１実施形態において、生地１は生地ロールから巻き出された帯状生地としてあり、パターン区画４が、生地１の帯長手方向に沿って互いに隣接するように複数想定されるものとしてある。ここにおいて、生地１の帯長手方向は図１の左右方向であり、生地１の帯幅方向は図１の上下方向である。また本第１実施形態では、一つのパターン区画４に対して一つのパーツパターン２が表示されていると共に、一つのパターン区画４に対して一つ
のデータ表示部３が設けられている。
【００２０】
生地１の帯長手方向に沿って想定される各パターン区画４ごとのデータ表示部３は、生地１の帯長手方向で並んで（一列に並んで）整列配置されている。すなわち、帯長手方向に平行する生地端のうち、少なくとも一方側からの距離が同じとなるように配置されている。
データ表示部３をこのような配置としておくことで、生地１（パターン区画４）の中からデータ表示部３を検出し、読み取る作業を迅速且つ確実に行えるようになる。
【００２１】
データ表示部３は、二次元コード（いわゆるＱＲコード（登録商標）等）であって、パーツパターン２を一義的に特定するような特定情報につき、この特定情報を非接触のまま読み取り可能にするものである。このデータ表示部３は、インクジェット捺染の他、スクリーン捺染などの各種捺染方法でも捺染することができる。
データ表示部３を捺染するインクは特に限定されるものではない。例えば、パーツパターン２を捺染によって表示する場合であれば、パーツパターン２の捺染に用いるのと同種のインクを採用してデータ表示部３を捺染すればよい。
【００２２】
その他、特定の光を当てたときだけ判別できるようになるインク（例えば、赤外線に対するステルスインクやブラックライトに対する蛍光塗料等）を採用してデータ表示部３を捺染することも可能である。このようなインクを用いると、特定の光を当てない限り、データ表示部３は不鮮明又は視認不能となるので、生地１又は切り出した後の生地パーツとしての外観性を向上させることができる。
【００２３】
また、データ表示部３を捺染するインクとして、水溶性のインクを採用することも可能である。このようなインクを用いると、データ表示部３としての用途が終了した後には当該データ表示部３のみを洗い流せる（パーツパターン２は水洗後も残る）ので、生地１又は切り出した後の生地パーツとしての外観性を向上させることができるうえに、情報の流出を防止できる（秘匿性の確保）利点もある。
【００２４】
データ表示部３を水溶性のインクで捺染する場合、データ表示部３は、パーツパターン２中の一部に配置するようにしてもよい。この場合、生地１（パターン区画４）からパーツパターン２の輪郭に一致又は沿わせるようにして生地パーツを切り出した後も、切り出された生地パーツに対してデータ表示部３を表示させておくことができることとなる。そのため、裁断工程の下流側（例えば縫製工程など）においても生地パーツの情報管理が行えるという画期的な効果を得ることができる。
【００２５】
データ表示部３は、パーツパターン２を一義的に特定するための特定情報を有したものであれば、どのような情報であるかについては特に限定されるものではない。
例えば、データ表示部３は、生地１、又はパターン区画４の中でのパーツパターン２の配置（輪郭座標）を規定した裁断データ（生地裁断装置において裁断ヘッドを移動させるときに用いる座標データ）が多種蓄積されたデータベースから、特定のパーツパターン２に対応した裁断データを読み出すための情報（格納番地等）とすることができる。
【００２６】
このような裁断データは、生地１（パターン区画４）からパーツパターン２の輪郭に一致又は沿わせるようにして生地パーツを切り出す際に、裁断プログラムを生成するためのものとして活用できる。
すなわち、裁断工程の開始時に、人為的又は機械的に、専用のコードリーダーやラインセンサカメラ等の画像処理機でデータ表示部３を読み取らせ、データベースに蓄積された多種の裁断データ類の中からパーツパターン２に適合する適正な裁断データを選び出して、プログラム装置で裁断プログラムを生成させる、といった使用が可能となる。
【００２７】
その他、データ表示部３は、パーツパターン２の形状、サイズ、色や柄、分類、生地種などの直接的且つ具体的な情報としたり、当該情報をデータベースから読み出すための格納番地等の情報としたりすることもできる。
本第１実施形態では、生地１が帯状生地であって、その帯長手方向に複数のパターン区画４が並んで設けられたものとなっているが、各パターン区画４に設けるパーツパターン２は、それぞれ独自の判断で選出されたものとしてある。従って、隣り合うパターン区画４間で、パーツパターン２が同じである場合もあるし、異なる場合もある。当然に、パー
ツパターン２が同じである場合は、各パターン区画４に対応したデータ表示部３も同じ特定情報を有したものとされており、パーツパターン２が異なる場合は、各パターン区画４に対応したデータ表示部３も異なる特定情報を有したものとされている。
【００２８】
このような構成であるので、切り出す生地パーツとして、他品種少量生産に柔軟に対応できることになる。例えば、切り出した生地パーツを用いて衣類を製作する場合、その衣類の購入者が、それぞれの所望するサイズや形状、柄などを要求するものとしても、各購入者のニーズに柔軟に応えることができるものである。
本発明に係る生地１を製造するには、パーツパターン２の表示領域として生地１上に想定されるパターン区画４の区画内又は区画外に、パーツパターン２の特定情報を非接触で読み取り可能にする少なくとも一つのデータ表示部３を、パーツパターン２の捺染と先行、後行、又は並行して設けるようにする。
【００２９】
例えば、パーツパターン２及びデータ表示部３を同種のインクでインクジェット捺染により捺染する場合であれば、生地１に対して、パーツパターン２とデータ表示部３とを同時並行して捺染するようにすればよい。
この場合、パーツパターン２のインクジェット捺染に用いる捺染プログラムに対し、データ表示部３の捺染データを組み込んで、１サイクルのインクジェット捺染により、パーツパターン２とデータ表示部３とを生地１に捺染するようにする。但し、１サイクル中においては、パーツパターン２とデータ表示部３のいずれが先行、又は後行するかが限定されるものではなく、場合によっては同時並行させてもよい。
【００３０】
一方、データ表示部３の捺染インクとして、特定の光を当てたときだけ判別できるインクや水溶性インクなどを用いる場合であれば、生地１に対してパーツパターン２を捺染するより前に、データ表示部３を先行して捺染するようにしてもよいし、反対に、パーツパターン２を捺染した後に、データ表示部３を後行して捺染するようにしてもよい。
［第２実施形態］
図２は、本発明に係る生地１の第２実施形態を示している。本第２実施形態も第１実施形態（図１参照）と同様に、生地１は生地ロールから巻き出された帯状生地としてあり、パターン区画４が、生地１の帯長手方向に沿って互いに隣接するように複数想定されるものとしてある。
【００３１】
加えて、本第２実施形態では、パターン区画４は、生地１の帯幅方向（図２の上下方向）にも沿うように、互いに隣接して複数（図例では３区画）想定されるものとしてある。そして、一つのパターン区画４に対して一つのパーツパターン２が表示されていると共に、一つのパターン区画４に対して一つのデータ表示部３が設けられている。
そのため、生地１として、その帯幅が標準サイズを超えた広幅サイズのもの（例えば、１０００ｍｍを超えるようなサイズ）としてある。このように生地１の広幅化を行っていても、裁断作業の１サイクル内で多くの生地パーツを切り出すことができるようになるので、裁断作業の高能率化が可能となっている。
【００３２】
生地１の帯幅方向に沿って想定される各パターン区画４ごとのデータ表示部３は、生地１の帯幅方向で並んで（一列に並んで）整列配置されている。すなわち、帯幅方向に沿うように（帯長手方向と略直交するように）大断ちされた生地端（図２の左端側に示した生地先端）からの距離が同じとなるように配置されている。
データ表示部３をこのような配置としておくことで、生地１（パターン区画４）の中からデータ表示部３を検出し、読み取り作業を迅速且つ確実に行えるようになる。
【００３３】
本第２実施形態では、前記したように生地１の帯長手方向だけでなく、帯幅方向にも複数のパターン区画４が並んで設けられている。従って、帯長手方向及び帯幅方向で隣り合う全てのパターン区画４について、パーツパターン２を、それぞれ独自の判断で選出されたものとすることができる。それ故、切り出す生地パーツとして、第１実施形態にも増して他品種少量生産に柔軟に対応できることになる。
【００３４】
なお、帯長手方向及び帯幅方向で隣り合う全てのパターン区画４について、パーツパターン２を同じとすることも当然に可能である。
［第３実施形態］
図３は、本発明に係る生地１の第３実施形態を示している。本第３実施形態も第１実施形態（図１参照）と同様に、生地１は生地ロールから巻き出された帯状生地としてあり、パターン区画４が、生地１の帯長手方向に沿って互いに隣接するように複数想定されるものとしてある。
【００３５】
本第３実施形態では、生地１が広幅化されたもの（例えば、２０００ｍｍ）として、生地１の帯幅方向（図３の上下方向）で複数（図例では３つ）のパーツパターン２が分散配置されたものとしてある。但し、第２実施形態（図２参照）とは異なり、生地１の帯幅方向に略対応するように（生地１の帯幅方向で並んだ全てのパーツパターン２を含めるように）パターン区画４が想定されている。そして、この一つのパターン区画４に対してデータ表示部３は一つだけ設けられている。図例では、パターン区画４の外周部にデータ表示部３が配置されたものとしてある。
【００３６】
なお、このように設けられたデータ表示部３が裁断データを読み出すための情報とされる場合では、裁断データ（読み出されたデータ）の中に、各パターン区画４内に配置された全パーツパターン２の配置（輪郭座標）が組み合わされているものとする。
［第４実施形態］
図４は、本発明に係る生地１の第４実施形態を示している。本第４実施形態も第１実施形態（図１参照）と同様に、生地１は生地ロールから巻き出された帯状生地としてあり、パターン区画４が、生地１の帯長手方向に沿って互いに隣接するように複数想定されるものとしてある。
【００３７】
加えて、本第４実施形態も第２実施形態（図２参照）と同様に、パターン区画４は、生地１の帯幅方向（図４の上下方向）にも沿うように、互いに隣接して複数（図例では３区画）想定されるものとしてある。そして、一つのパターン区画４に対して一つのパーツパターン２が表示されていると共に、一つのパターン区画４に対して一つのデータ表示部３が設けられている。
【００３８】
但し、本第４実施形態では、第２実施形態（図２参照）とは異なり、パターン区画４内に表示されるパーツパターン２中であって、このパーツパターン２から切り抜きが予定される余白部５Ａに対してデータ表示部３が配置されている。
なお、データ表示部３は、図示した余白部５Ａとは別の余白部５Ｂや５Ｃに対して配置してもよいことは言うまでもない。
［第５実施形態］
図５は、本発明に係る生地１の第５実施形態を示している。本第５実施形態も第１実施形態（図１参照）と同様に、生地１は生地ロールから巻き出された帯状生地としてあり、パターン区画４が、生地１の帯長手方向に沿って互いに隣接するように複数想定されるものとしてある。
【００３９】
加えて、本第５実施形態も第２実施形態（図２参照）や第４実施形態（図４参照）と同様に、パターン区画４は、生地１の帯幅方向（図５の上下方向）にも沿うように、互いに隣接して複数（図例では３区画）想定されるものとしてある。
但し、本第５実施形態では、一つのパターン区画４に対して複数（図例では３つ）のパーツパターン２Ａ，２Ｂ，２Ｃが分散配置されたものとなっている。なお、一つのパターン区画４に対して一つのデータ表示部３が設けられている点は、第２実施形態（図２参照）や第４実施形態（図４参照）と同じである。
【００４０】
各パターン区画４に表示されるパーツパターン２Ａ，２Ｂ，２Ｃは、１着の衣類を構成するのに必要とされるものとしてグループ化されたものとすることができる。
［第６実施形態］
図６及び図７は、本発明に係る生地１の第６実施形態を示している。本第６実施形態も第１実施形態（図１参照）と同様に、生地１は生地ロールから巻き出された帯状生地としてあり、パターン区画４が、生地１の帯長手方向に沿って互いに隣接するように複数想定されるものとしてある。
【００４１】
本第６実施形態も第３実施形態（図３参照）と同様に、生地１が広幅化されたものとしてあり、生地１の帯幅方向に略対応するようにパターン区画４が想定されている。但し、
第３実施形態とは異なり、一つのパターン区画４に対して生地１の帯幅方向（図６の上下方向）で複数（図例では３つ）のパーツパターン２が分散配置されているだけでなく、生地１の帯長手方向（図６の左右方向）でも複数（図例では３つ）のパーツパターン２が分散配置されたものとしてある（帯幅方向の各パーツパターン２が、それぞれ２Ａ，２Ｂ，２Ｃで構成されている）。すなわち、図例では一つのパターン区画４に対して総計で９つのパーツパターン２が分散配置されている。
【００４２】
そして、それぞれのパーツパターン２に個別に割り当てるようにして、データ表示部３，３，３（それぞれが３Ａ，３Ｂ，３Ｃによって構成）が配置されている。すなわち、一つのパターン区画４に対してデータ表示部３はパーツパターン２の配置数と同じ数が設けられている。
本第６実施形態では、各パーツパターン２の外周部にデータ表示部３が近接配置されたものとしてある。そのため、生地１（パターン区画４）からパーツパターン２の輪郭に一致又は沿わせるようにして生地パーツを切り出すときに、図７に示すように、生地パーツ（パーツパターン２Ａを切り出したものとして例示）に対し、データ表示部３Ａが付随するように切り出すことができる。
【００４３】
ここにおいて、パーツパターン２に対するデータ表示部３の配置（生地パーツに対するデータ表示部３の付随距離）をどの程度、近接させておくかについては、生地パーツにおいて「除去予定位置」であること、或いは「接合予定位置」であることを前提とする。殊に、「除去予定位置」とする場合、切り取り除去が簡単に行え且つ生地パーツを傷めない位置とすることが好適とされ、且つデータ表示部３の占有面積以外に、無駄な除去生地を可及的に生じさせない範囲とすることが好適とされる。
【００４４】
なお、データ表示部３を切り取り除去する場合は、図７に示すように、除去を容易にするために、生地パーツとの境界部分に切れ目７を設けたりミシン目（図示略）を設けたりするとよい。また、生地パーツの繊維目を意識して、データ表示部３の切り取りや引きちぎりが容易且つ綺麗に行える向きで、切れ目７やミシン目を設ける（パーツパターン２に対するデータ表示部３の配置を配慮する）のが好適である。
【００４５】
このような第６実施形態であれば、切り出された生地パーツに付随するデータ表示部３により、裁断工程の下流側（例えば縫製工程など）においても、各生地パーツの情報管理が行えるようになり、極めて有益なものとなる。
また、データ表示部３としての用途（情報管理）が終了した後には、このデータ表示部３を切り取り除去したり、縫製時に接合部内へ隠したりすればよく、こうすることで生地パーツ又はこの生地パーツを用いて縫製した製品としての外観性を向上させることができるものである。また、情報の流出を防止できる（秘匿性の確保）利点もある。
【００４６】
ところで、本発明は、前記実施形態に限定されるものではなく、実施の形態に応じて適宜変更可能である。
例えば、生地１の生地質や厚さ等は何ら限定されるものではなく、天然素材でも合繊素材でもよいし、場合によっては不織布等としてもよい。また広幅サイズであるか標準サイズであるかについても何ら限定されない。
【００４７】
また生地１は、パターン区画４が互いに隣接するように複数想定される大きさを有するものであれば、帯状生地であることが限定されるものではなく、一枚生地（帯状生地の帯長手方向を所定長さに粗切りされたものを含む）としてもよい。この場合、本明細書中で説明した「帯長手方向」や「帯幅方向」は、それぞれ「一辺側」、「他辺側」と読み替えるものとする。
【００４８】
言うまでもなくパーツパターン２の形状、大きさ、配置、配置数、データ表示部３の種類や配置、配置数などは何ら限定されない。
データ表示部３は、裁断プログラムの生成に用いることが限定されるものではなく、切り出された生地パーツとしての管理など、別の目的に用いることも可能である。
パーツパターン２の輪郭に一致又は沿わせるようにして生地パーツを切り出す場合のみならず、パーツパターン２を一部又は全部含ませるようにしつつ当該パーツパターン２との位置的関連を持たせて他の形状の生地パーツを切り出すような場合を含む。
【００４９】
データ表示部３は、水溶性インクを用いた捺染により表示させる場合には、パーツパターン２中の一部に配置してもよい旨、説明した。しかし、水溶性インク以外の染料による捺染でデータ表示部３を捺染する場合であっても、パターン区画４内に表示されるパーツパターン２中の一部に（例えば、柄の一部として）、データ表示部３を配置するようにしてもよい。
【００５０】
パーツパターン２は捺染以外の表示方法によって表示することも可能である。例えば、生地１のベースとなる生地組織（編組織や織組織）に対してパーツパターン２の領域だけを異なる生地組織にしたり、或いは刺繍によって表示したりする方法等を採用することもできる。また情報を記憶させたＩＣタグを生地１に対して貼り付けたり、生地組織中へ埋め込んだりするようにしてもよい。
【符号の説明】
【００５１】
１    生地
２（２Ａ，２Ｂ，２Ｃ）    パーツパターン
３（３Ａ，３Ｂ，３Ｃ）    データ表示部
４    パターン区画
５Ａ，５Ｂ，５Ｃ    余白部
７  切れ目
【図１】
0005902522.tif 000002
【図２】
0005902522.tif 000003
【図３】
0005902522.tif 000004
【図４】
0005902522.tif 000005
【図５】
0005902522.tif 000006
【図６】
0005902522.tif 000007
【図７】
0005902522.tif 000008